(57)【特許請求の範囲】
【請求項１】
黒板（３）の重量を吸収するようにした平衡機構（５）を内部に設置した固定枠（２）に沿って、黒板（３）を支持する支持枠（４）を昇降自在として取り付け、
支持枠（４）の下枠（４ａ）上にネジ軸（１２）を支持金具（１４）により回転可能に設置し、
さらに固定枠（２）の上枠（２ａ）に操作ロッド（１５）の上端を軸支すると共に、操作ロッド（１５）を傾斜させた状態にして、操作ロッド（１５）の下端をネジ軸（１２）に螺合された送りナット（１１）に軸支し、操作ロッド（１５）の中間部に補助ロッド（１６）の上端を軸支し、補助ロッド（１６）の下端を支持枠（４）の下枠（４ａ）に軸支し、
下枠（４ａ）上に電動モータ（１３）を設置し、電動モータ（１３）の回転軸（１３ａ）をネジ軸（１２）に連結して、電動モータ（１３）によりネジ軸（１２）を正逆回転するようにしたことを特徴とする昇降式黒板装置。
【発明の詳細な説明】
【０００１】
【発明の属する技術分野】
この発明は、学校の教室の壁面などに取り付け、電動により昇降自在とした黒板装置に関するものである。
【０００２】
【従来の技術】
従来、学校の教室や講堂などで使用される大型の黒板においては、チョークで文字などを記載し易い位置にするために下降させたり、その記載した文字などを見易い位置にするために上昇させることができる昇降式黒板装置が存在する。
【０００３】
上記従来の昇降式黒板装置は、電動モータなどを使用して電動により黒板を昇降自在としたものとしている。このような昇降式黒板装置においては、黒板を支持している支持枠を固定するための固定枠の内部に電動モータやクラッチ機構などの電動モータの付属物を設置したものとしており、さらに黒板の昇降動はこの電動モータの動力のみに頼っていた。
【０００４】
【発明が解決しようとする課題】
しかしながら、上記従来の昇降式黒板装置では、電動モータやその付属物を、黒板を支持している支持枠を固定するための固定枠の内部に設置したものとしているので、黒板を支持枠から取り外し、固定枠の内部にまで手を差し伸べないと、電動モータやその付属物に手が届かず、これらの修理や保守作業がし難いという課題を有していた。
【０００５】
さらに、従来の昇降式黒板装置では、黒板の昇降動は電動モータの動力のみに頼っていたので、大容量の電動モータを使用する必要があり、電動モータが嵩高いものとなって、固定枠の内部への設置が困難であったり、維持費が高くつくという課題を有していた。
【０００６】
そこで、この発明は、上記従来の昇降式黒板装置が有する課題を解決するものであり、電動モータやその付属物を黒板の支持枠の下枠に設置することにより、手を差し伸べないでも電動モータの修理や保守ができるようにし、さらに黒板の重量を吸収してその昇降を小さな力で行えるようにした平衡機構と組み合わせることにより、小容量の電動モータを使用できるようにした昇降式黒板装置を提供することを目的としてなされたものである。
【０００７】
【課題を解決するための手段】
そのため、この発明の昇降式黒板装置は、黒板（３）の重量を吸収するようにした平衡機構（５）を内部に設置した固定枠（２）に沿って、黒板（３）を支持する支持枠（４）を昇降自在として取り付け、支持枠（４）の下枠（４ａ）上にネジ軸（１２）を支持金具（１４）により回転可能に設置し、さらに固定枠（２）の上枠（２ａ）に操作ロッド（１５）の上端を軸支すると共に、操作ロッド（１５）を傾斜させた状態にして、操作ロッド（１５）の下端をネジ軸（１２）に螺合された送りナット（１１）に軸支し、操作ロッド（１５）の中間部に補助ロッド（１６）の上端を軸支し、補助ロッド（１６）の下端を支持枠（４）の下枠（４ａ）に軸支し、下枠（４ａ）上に電動モータ（１３）を設置し、電動モータ（１３）の回転軸（１３ａ）をネジ軸（１２）に連結して、電動モータ（１３）によりネジ軸（１２）を正逆回転するようにしたことを特徴とする。
【０００９】
【発明の実施の形態】
以下、この発明の実施の形態を、図面に基づいて詳細に説明する。
【００１０】
図に示すように、この発明の昇降式黒板装置は、学校の教室の壁面１などに固定枠２を固定し、この固定枠２に沿って黒板３を支持する支持枠４が昇降自在として取り付けられている。
【００１１】
前記固定枠２の内部には、黒板３の重量を吸収するようにした平衡機構５が設置されている。この平衡機構５は、スプリング６及びドラム７を有しており、スプリング６の一端を固定枠２に接続し、このスプリング６の他端に接続したワイヤー８をドラム７に接続し、さらにこのドラム７に接続した二本のワイヤー９、１０をそれぞれ前記支持枠４の下枠４ａの両端に接続している。したがって、各ワイヤー８、９、１０はスプリング６の弾力を介して黒板３を支持する支持枠４を持ち上げる方向に働き、黒板３の重量がこの平均機構５によって吸収されるため、黒板３を小さな力で昇降させることができるようにしている。
【００１２】
前記支持枠４には、その下枠４ａに沿って、中間位置に送りナット１１が螺合されたネジ軸１２が設置されている。このネジ軸１２は、電動モータ１３の回転軸１３ａに連結されると共に、その両端部を支持金具１４により支持されており、電動モータ１３により正逆回転するようにしている。
【００１３】
さらに、前記固定枠２の上枠２ａの一端部寄りには、操作ロッド１５の上端を軸支すると共に、この操作ロッド１５を傾斜させた状態にして、操作ロッド１５の下端を前記ネジ軸１２に螺合された送りナット１１に軸支したものとしている。なお、必要に応じ、前記操作ロッド１５の中間部には、補助ロッド１６の上端を軸支すると共に、この補助ロッド１６の下端を支持枠４の下枠４ａに軸支したものとしている。この補助ロッド１６は、操作ロッド１５を中間部で支え、この操作ロッド１５を補強するためのものである。
【００１４】
このように構成したこの発明の昇降式黒板装置では、図１に示した状態から、電動モータ１３を正回転させると、ネジ軸１２に螺合された送りナット１１が図中右方向に移動し、操作ロッド１５の下端もこの送りナット１１に引き寄せられて右方向に移動する。すると、この操作ロッド１５が傾斜を弱めようとするが、この操作ロッド１５の上端が固定枠２に軸支されているため、この操作ロッド１５の下端が上昇し、支持枠４の下枠４ａを上方向に引き寄せるので、図２、３に示したように、支持枠４が上昇しこの支持枠４に支持された黒板３が上昇することになる。
【００１５】
さらに、この発明の昇降式黒板装置では、図１に示した状態から、電動モータ１３を逆回転させると、ネジ軸１２に螺合された送りナット１１が図中左方向に移動し、操作ロッド１５の下端もこの送りナット１１に引き寄せられて左方向に移動する。すると、この操作ロッド１５が傾斜を強めようとするが、この操作ロッド１５の上端が固定枠２に軸支されているため、この操作ロッド１５の下端が下降し、支持枠４の下枠４ａを下方向に押し付けるので、図には示していないが、支持枠４が下降しこの支持枠４に支持された黒板３が下降することになる。
【００１６】
【発明の効果】
この発明の昇降式黒板装置は、以上に述べたように構成されており、電動モータやその付属物を黒板の支持枠の下枠に設置することにより、手を差し伸べないでも電動モータやその付属物の修理や保守ができるようにしたので、これらの修理や保守作業が非常にし易いものとなった。
【００１７】
さらに、この発明の昇降式黒板装置は、黒板の重量を吸収してその昇降を小さな力で行えるようにした平衡機構と組み合わせたものとして、小容量の電動モータを使用することができるようにしたので、電動モータが嵩低いものとなってその設置が容易となり、維持費も安くすることができるものとなった。
【図面の簡単な説明】
【図１】  この発明の昇降式黒板装置から黒板を取り外した状態を示す斜視図である。
【図２】この発明の昇降式黒板装置の支持枠を上降させた状態を示す正面図である。
【図３】この発明の昇降式黒板装置を壁面に固定し、支持枠を上降させた状態を示す側面図である。
【図４】この発明の昇降式黒板装置の操作ロッドの下端を送りナットに軸支した状態を示す説明図である。
【符号の説明】
２  固定枠
２ａ  上枠
３  黒板
４  支持枠
４ａ  下枠
５  平衡機構
１１  送りナット
１２  ネジ軸
１３  電動モータ
１５  操作ロッド
１６  補助ロッド
【図１】
0004256033.tif 000002
【図２】
0004256033.tif 000003
【図３】
0004256033.tif 000004
【図４】
0004256033.tif 000005